(57)【要約】【課題】記録されているメディアが異なるログデータに基づく軌跡を適切な表示態様で表示できるようにする。【解決手段】デジタルカメラ１００は、表示部に地図を表示し、前記地図に重畳して、ＧＰＳログファイルに基づく軌跡（ＧＰＳログ軌跡）を表示する。このとき、メディア毎に区別して、ＧＰＳログ軌跡を表示する。また、取得元のメディアが異なるＧＰＳログ軌跡は異なる態様、例えば軌跡の色、スタイル、太さ等を変えて表示する。【選択図】図２
2015126272.tif 000002
【特許請求の範囲】
【請求項１】
位置情報及び日時情報を有するログデータをメディアから取得する取得手段と、
前記取得手段で取得したログデータに基づく軌跡を表示部に表示するよう制御する表示制御手段とを備え、
前記表示制御手段は、メディア毎に区別して、ログデータに基づく軌跡を表示するよう制御することを特徴とする表示制御装置。
【請求項２】
前記表示制御手段は、取得元のメディアが異なるログデータに基づく軌跡を異なる態様で表示するよう制御することを特徴とする請求項１に記載の表示制御装置。
【請求項３】
位置情報及び日時情報を有するログデータを生成する生成手段と、
前記生成手段で生成したログデータをメディアに記録する記録制御手段とを備えたことを特徴とする請求項１又は２に記載の表示制御装置。
【請求項４】
前記表示制御手段は、前記表示部に地図を表示し、前記地図に重畳して、ログデータに基づく軌跡を表示するよう制御することを特徴とする請求項１乃至３のいずれか１項に記載の表示制御装置。
【請求項５】
ログデータには画像データが関連付けられていることを特徴とする請求項１乃至４のいずれか１項に記載の表示制御装置。
【請求項６】
被写体を撮像して画像データを生成する撮像手段を備え、
前記表示制御手段は、前記撮像手段で生成した画像データの記録の仕方に応じて、メディア毎に区別して、ログデータに基づく軌跡を表示するか否かを切り替えることを特徴とする請求項１乃至５のいずれか１項に記載の表示制御装置。
【請求項７】
前記表示制御手段は、ユーザの選択に応じて、メディア毎に区別して、ログデータに基づく軌跡を表示するか否かを切り替えることを特徴とする請求項１乃至６のいずれか１項に記載の表示制御装置。
【請求項８】
メディアには、内蔵メモリ、着脱可能なメディア及び通信先のメディアのうち少なくともいずれかが含まれることを特徴とする請求項１乃至７のいずれか１項に記載の表示制御装置。
【請求項９】
位置情報及び日時情報を有するログデータをメディアから取得する取得ステップと、
前記取得ステップで取得したログデータに基づく軌跡を表示部に表示するよう制御する表示制御ステップとを有し、
前記表示制御ステップでは、メディア毎に区別して、ログデータに基づく軌跡を表示するよう制御することを特徴とする表示制御方法。
【請求項１０】
位置情報及び日時情報を有するログデータをメディアから取得する取得手段と、
前記取得手段で取得したログデータに基づく軌跡を表示部に表示するよう制御する表示制御手段としてコンピュータを機能させ、
前記表示制御手段は、メディア毎に区別して、ログデータに基づく軌跡を表示するよう制御することを特徴とするプログラム。
【請求項１１】
請求項１０に記載のプログラムを記憶することを特徴とするコンピュータ読み取り可能な記憶媒体。
【発明の詳細な説明】
【技術分野】
【０００１】
本発明は、複数のメディアに記録されているログデータに基づく軌跡を表示部に表示するのに利用して好適な表示制御装置、方法、プログラム及び記憶媒体に関する。
【背景技術】
【０００２】
従来、ＧＰＳ衛星からの信号を受信し、位置情報を計算するＧＰＳ機能を有する携帯機器が知られている。特に、近年の携帯電話やデジタルカメラには、ＧＰＳ機能を有するものが多数見られる。
このような機器の中には、定期的に位置情報を記録し、機器の移動軌跡を示すＧＰＳログファイルを生成・表示する機能を備えたものも存在する。例えば特許文献１には、ＧＰＳログファイルを表示することが開示されている。
【先行技術文献】
【特許文献】
【０００３】
【特許文献１】特許２００８−３０６６０４号公報
【発明の概要】
【発明が解決しようとする課題】
【０００４】
一方、近年の携帯機器には、複数のメディアを装着できるものが存在する。また、近年の携帯機器には、他の装置からＧＰＳログファイルを取得することができるものが存在する。複数のメディアを装着し得る機器の用途としては、装着されるメディアを個別に扱い、メディア毎にデータを管理する場合が考えられる。このような携帯機器にＧＰＳログファイルを生成・表示する機能が備わった場合、当然、複数のメディアにそれぞれログファイルが記録されている状況が生じる。
しかしながら、上述の特許文献１では、複数のメディアにＧＰＳログファイルが記録される場合について何ら考慮されていなかった。それゆえ、例えばユーザがメディア毎にデータを管理するようにメディアを扱っているにもかかわらず、機器の移動軌跡を表示する際には、その点について何ら考慮されていない状況であった。
【０００５】
本発明は、記録されているメディアが異なるログデータに基づく軌跡を適切な表示態様で表示できるようにすることを目的とする。
【課題を解決するための手段】
【０００６】
本発明の表示制御装置は、位置情報及び日時情報を有するログデータをメディアから取得する取得手段と、前記取得手段で取得したログデータに基づく軌跡を表示部に表示するよう制御する表示制御手段とを備え、前記表示制御手段は、メディア毎に区別して、ログデータに基づく軌跡を表示するよう制御することを特徴とする。
【発明の効果】
【０００７】
本発明によれば、記録されているメディアが異なるログデータに基づく軌跡を適切な表示態様で表示することができる。
【図面の簡単な説明】
【０００８】
【図１】実施形態に係るデジタルカメラの構成を示すブロック図である。
【図２】実施形態に係るデジタルカメラの軌跡表示処理を示すフローチャートである。
【図３】地図描画処理を示すフローチャートである。
【図４】ＧＰＳログ軌跡描画処理を示すフローチャートである。
【図５】ＧＰＳログ軌跡上に画像ファイルの位置を対応付けてプロット描画する処理を示すフローチャートである。
【図６】再生画面描画処理を示すフローチャートである。
【図７】情報描画処理を示すフローチャートである。
【図８】ファイル読み出し処理を示すフローチャートである。
【図９】第１の軌跡表示画面の表示処理を示すフローチャートである。
【図１０】第２の軌跡表示画面の表示処理を示すフローチャートである。
【図１１】第３の軌跡表示画面の表示処理を示すフローチャートである。
【図１２】メディア内のファイルの状態の例を示す図である。
【図１３】第１の軌跡表示画面の例を示す図である。
【図１４】第１の軌跡表示画面の例を示す図である。
【図１５】第１の軌跡表示画面の例を示す図である。
【図１６】第２の軌跡表示画面の例を示す図である。
【図１７】第２の軌跡表示画面の例を示す図である。
【図１８】第２の軌跡表示画面の例を示す図である。
【図１９】第２の軌跡表示画面の例を示す図である。
【図２０】第３の軌跡表示画面の例を示す図である。
【図２１】第３の軌跡表示画面の例を示す図である。
【図２２】第３の軌跡表示画面の例を示す図である。
【図２３】第３の軌跡表示画面の例を示す図である。
【図２４】軌跡表示画面の遷移状態を示す図である。
【発明を実施するための形態】
【０００９】
以下、添付図面を参照して、本発明の好適な実施形態について説明する。
図１は、実施形態に係るデジタルカメラ１００の構成を示すブロック図である。本実施形態では、本発明を適用した表示制御装置として機能するデジタルカメラ１００について述べるが、これに限られず、携帯電話や、タブレットデバイス、パーソナルコンピュータ等の情報処理装置であってもよいし、他の撮像装置（カメラ付き携帯電話等）であってもよい。
【００１０】
１０１は撮影レンズである。
１０２はＡＦ（オートフォーカス）駆動回路であり、例えばＤＣモータやステッピングモータによって構成され、マイクロコンピュータ１２４の制御によって撮影レンズ１０１のフォーカスレンズ位置を変化させることによりピントを合わせる。
１０３は絞りである。１０４は絞り駆動回路であり、マイクロコンピュータ１２４の制御によって絞り１０３を駆動し、光学的な絞り値を変化させる。
【００１１】
１０５主ミラーであり、撮影レンズ１０１から入射した光束をファインダ側と撮像素子１１２側とに切替える。主ミラー１０５は常時はファインダ部へと光束を導くよう反射させるように配されているが、撮影が行われるときやライブビュー表示のときには、撮像素子１１２へと光束を導くように上方に跳ね上がり光束中から待避する。また、主ミラー１０５は、その中央部が光の一部を透過できるようにハーフミラーとなっており、光束の一部を、焦点検出を行うためのセンサ（焦点検出回路１０９内に配置されている）に入射するように透過させる。１０６サブミラーであり、主ミラー１０５から透過してきた光束を反射させ、焦点検出を行うためのセンサに導く。１０７はミラー駆動回路であり、マイクロコンピュータ１２４の制御によって主ミラー１０５を駆動する。１０８はファインダを構成するペンタプリズムである。ファインダは他にピント板、アイピースレンズ（不図示）等によって構成される。１０９は焦点検出回路であり、主ミラー１０５の中央部を透過し、サブミラー１０６で反射された光束は、焦点検出回路１０９内に配置された光電変換を行うためのセンサに至る。フォーカス演算に用いるデフォーカス量は、センサの出力を演算することによって求められる。マイクロコンピュータ１２４は演算結果を評価してＡＦ駆動回路１０２に指示し、フォーカスレンズを駆動させる。
【００１２】
１１０はフォーカルプレーンシャッタである。１１１はシャッタ駆動回路であり、マイクロコンピュータ１２４の制御によってフォーカルプレーンシャッタ１１０を駆動する。
１１２は撮像素子である。撮像素子１１２にはＣＣＤやＣＭＯＳセンサ等が用いられ、撮影レンズ１０１によって結像された被写体像を電気信号に変換する。
１１５はＡ／Ｄ変換器であり、撮像素子１１２のアナログ出力信号をデジタル信号に変換する。１１６は映像信号処理回路であり、ゲートアレイ等のロジックデバイスにより実現される。映像信号処理回路１１６は、デジタル化された画像信号に、フィルタ処理、色変換処理、ガンマ処理を行い、現像データを作成するとともに、ＪＰＥＧ等の圧縮処理を行い、メモリコントローラ１１９に出力する。また、映像信号処理回路１１６は、バッファメモリ１２３上の２つ以上の現像データの加算や、現像データから諧調を高ビット化した高精度データの生成や、またその両方の処理を同時に実施し、結果をバッファメモリ１２３に書き戻すことが可能である。更に、映像信号処理回路１１６は、撮像素子１１２からの映像信号や、メモリコントローラ１１９から逆に入力される画像信号を、表示駆動回路１１７を通して表示部材１１８に出力することも可能である。これらの機能切り替えは、マイクロコンピュータ１２４の指示により行われる。映像信号処理回路１１６は、必要に応じて撮像素子１１２の信号の露出情報やホワイトバランス等の情報をマイクロコンピュータ１２４に出力することが可能である。マイクロコンピュータ１２４は、それらの情報に基づいてホワイトバランスやゲイン調整の指示を行う。連続撮影動作の場合においては、一旦、未処理画像のままバッファメモリ１２３に撮影データを格納し、メモリコントローラ１１９を通して未処理の画像データを読み出し、映像信号処理回路１１６で画像処理や圧縮処理を行い、連続撮影を行う。連像撮影枚数は、バッファメモリの大きさに左右される。
【００１３】
１１７は表示駆動回路である。１１８はＴＦＴや有機ＥＬ等を用いた表示部材である。
１１９はメモリコントローラである。メモリコントローラ１１９は、外部インタフェイス１２２を介してメモリ１２０、１２１に記憶された画像を出力可能である。メモリコントローラ１１９では、映像信号処理回路１１６から入力された未処理のデジタル画像データを格納し、処理済みのデジタル画像データをメモリ１２０やメモリ１２１に格納する。また、逆にバッファメモリ１２３やメモリ１２０、メモリ１２１から画像データを映像信号処理回路１１６に出力する。１２０、１２１はメモリである。本実施形態に係るデジタルカメラ１００は二つのカードスロットを有しており、メモリ１２０、メモリ１２１はデジタルカメラ１００に着脱可能なメディアである。メモリ１２０、メモリ１２１としては、例えばＳＤカードやＣＦカード等を用いることができる。なお、説明を簡単にするため、カードスロットと、ＳＤカードやＣＦカードを例に挙げて説明するが、これらの構成に限られるものではない。例えばＵＳＢコネクタとＵＳＢメモリであってもよいし、その数も複数であれば特に限定しない。すなわち、デジタルカメラ１００は、着脱可能なメディアにアクセスするためのインタフェイスを少なくとも複数備えていればよい。
【００１４】
１２２は外部インタフェイスであり、デジタルカメラ１００をコンピュータ等の外部装置と接続する。本実施形態では、外部インタフェイス１２２は、ＵＳＢケーブルを接続するコネクタである。なお、外部インタフェイスとしては、例えばＩＥＥＥ１３９４やＨＤＭＩ（登録商標）等のケーブルを接続するコネクタを採用してもよいし、無線ＬＡＮや、赤外線通信、Ｂｌｕｅｔｏｏｔｈ（登録商標）通信、ＮＦＣ、ＷｉｒｅｌｅｓｓＵＳＢ等、無線通信を行うためのアンテナを採用してもよい。本実施形態では、外部装置とのデータの送受信には、ＰＴＰ（Picture Transfer Protocol）を用いる。なお、無線ＬＡＮを採用する場合には、ＰＴＰ／ＩＰ（Picture Transfer Protocol over Internet Protocol）を用いることも可能である。
【００１５】
１２３はバッファメモリである。
１２４は各部を制御するマイクロコンピュータである。なお、マイクロコンピュータ１２４が装置全体を制御する代わりに、複数のハードウェアが処理を分担することで、装置全体を制御してもよい。
１２５は操作部材であり、マイクロコンピュータ１２４にその状態を伝え、マイクロコンピュータ１２４はその変化に応じて各部をコントロールする。１２６はスイッチ１である。１２７はスイッチ２である。スイッチ１とスイッチ２は、レリーズボタンの操作でオンオフするスイッチであり、それぞれ操作部材１２５の入力スイッチのうちの１つである。スイッチ１のみオンの状態はレリーズボタン半押し状態であり、この状態でオートフォーカスの動作を行うとともに、測光動作を行う。スイッチ１、２が共にオンの状態はレリーズボタンの全押し状態であり、画像を記録するためのレリーズボタンオン状態である。この状態で撮影が行われる。また、スイッチ１、２がオンし続けている間は、連続撮影動作が行われる。操作部材１２５には、他にもメインスイッチ、カード蓋、電池蓋、撮影モードダイアル、ＩＳＯ設定ボタン、メニューボタン、セットボタン、フラッシュ設定ボタン、単写／連写／セルフタイマー切り替えボタン、メニューや再生画像移動のための移動＋（プラス）ボタン、移動−（マイナス）ボタン、露出補正ボタン、表示画像拡大ボタン、表示画像縮小ボタン、再生スイッチ、絞り１０３を設定された絞りに絞り込ませるための絞りボタン、撮影した画像を消去するための消去ボタン、撮影や再生に関する情報表示ボタン等、不図示のスイッチが含まれる。また、プラスボタン及びマイナスボタンの各機能は、回転ダイアルスイッチを備えることによって、より軽快に数値や機能を選択することが可能となる。なお、本発明の撮影に関する設定は、メニュー表示の中から、ストロボ撮影の「する」・「しない」を選択することで設定できる。
【００１６】
１２８は液晶駆動回路である。１２９は外部液晶表示部材である。１３０はファインダ内液晶表示部材である。液晶駆動回路１２８は、マイクロコンピュータ１２４の表示内容命令に従って、文字、画像を用いて動作状態やメッセージ等を表示する外部液晶表示部材１２９やファインダ内液晶表示部材１３０を駆動する。また、ファインダ内液晶表示部材１３０には、不図示のＬＥＤ等のバックライトが配置されており、そのＬＥＤも液晶駆動回路１２８で駆動される。また、マイクロコンピュータ１２４は、撮影前に設定されているＩＳＯ感度、画像サイズ、画質に応じた、画像サイズの予測値データに基づいて、メモリコントローラ１１９を通して、メモリの容量を確認した上で撮影可能残数を演算することができる。この撮影可能枚数は、必要に応じて外部液晶表示部材１２９、ファインダ内液晶表示部材１３０に表示される。
１３１は不揮発性メモリ（ＥＥＰＲＯＭ）であり、デジタルカメラ１００に電源が入れられていない状態でもデータを保存することができる。マイクロコンピュータ１２４が各部を制御するためのプログラムは、この不揮発性メモリ１３１に記録されている。
【００１７】
１３２はＧＰＳ受信部である。ＧＰＳ受信部１３２は、ＧＰＳ衛星からの電波を捕捉するＧＰＳ受信アンテナを備え、このＧＰＳ受信アンテナを通じてＧＰＳ衛星からのＧＰＳ信号を受信して現在位置を測位し、更に現在時刻を取得して、マイクロコンピュータ１２４に位置情報と日時情報を出力する。マイクロコンピュータ１２４は、位置情報及び日時情報に基づいてログデータであるＧＰＳログファイルを生成することができ、また、位置情報及び日時情報をデジタル画像データに付加することも可能である。ＧＰＳログファイルとは、一定時間毎に位置情報と日時情報とのセットを順次一つのログファイルに記録していくことで生成される。ＧＰＳログファイルに記録される一連のセットの位置情報は、対応する日時情報に沿ったデジタルカメラ１００の移動軌跡を示すデータとなる。なお、生成されたＧＰＳログファイルは、画像データと同様に、メモリ１２０及びメモリ１２１に記録することができる。
１３３は電源部であり、各ＩＣや駆動系に必要な電源を供給する。
【００１８】
＜メディア内の概念図＞
図１２に、本実施形態におけるメディア内のファイルの状態の例を示す。複数のメディア（１）、（２）がデジタルカメラ１００に装着されており、かつそれぞれのメディア（１）、（２）内に複数の画像ファイル及びＧＰＳログファイルが存在している状態を表わす。図１２の例では、メディア（１）についていえば、ＧＰＳログファイル「13010100.LOG」と画像ファイル群「IMG0001.JPEG〜IMG0010.JPEG」とが関連付けされている。また、ＧＰＳログファイル「13010500.LOG」と画像ファイル群「IMG0011.JPEG〜IMG0015.JPEG」とが関連付けされている。また、ＧＰＳログファイル「13011000.LOG」と画像ファイル群「IMG0016.JPEG〜IMG0020.JPEG」とが関連付けされている。また、ＧＰＳログファイル「13011500.LOG」と画像ファイル群「IMG0021.JPEG〜IMG0030.JPEG」とが関連付けされて記録されている。
【００１９】
本実施形態では、ＧＰＳログファイルは、例えば米国海洋電子機器協会（Ｎａｔｉｏｎａｌ Ｍａｒｉｎｅ Ｅｌｅｃｔｒｏｎｉｃｓ Ａｓｓｏｃｉａｔｉｏｎ）により定められるＮＭＥＡフォーマットに従った形式で記録される。また、ＧＰＳログファイルの生成方法に関しては、一定時間毎に記録する方法に限定されるものではない。例えば、ＧＰＳログファイルへのセットの記録後に、記録したその位置から所定距離以上移動したと判断されたタイミングで、位置情報及び日時情報のセットを記録するような方法でもよい。この場合、移動しなければ新たな位置情報及び日時情報のセットが記録されることがないので、ＧＰＳログファイルのサイズを抑えることができる。また、本実施形態では、位置情報は緯度、経度で取り扱う例について述べるが、方位情報や精度情報（例えば測位に使用した衛星の数）等、他の情報を含めてもよい。
【００２０】
＜軌跡表示＞
図２に、本実施形態に係るデジタルカメラ１００の軌跡表示処理を示す。
まずマイクロコンピュータ１２４は、軌跡表示開始操作が行われたか否かを判定する（ステップＳ２０１）。軌跡表示開始操作があるまで待機し、軌跡表示開始操作が行われると、マイクロコンピュータ１２４は第１の軌跡表示画面の表示処理を行う（ステップＳ２０２）。図１３〜図１５に、第１の軌跡表示画面の例を示す。第１の軌跡表示画面では、全画面表示の地図表示、地図に重畳させたＧＰＳログファイルに基づく軌跡（以下、ＧＰＳログ軌跡という）表示が行われる。図１３は描画対象メディアをメディア（１）とした場合の軌跡表示画面を示す。また、図１４は描画対象メディアをメディア（２）とした場合の軌跡表示画面を示す。また、図１５は描画対象メディアを全メディア（メディア（１）、（２））とした場合の軌跡表示画面を示す。このようにメディア毎に区別して、ＧＰＳログ軌跡が表示される。また、取得元のメディアが異なるＧＰＳログ軌跡は異なる態様、例えば軌跡の色、スタイル、太さ等を変えて表示される。
【００２１】
次にマイクロコンピュータ１２４は、情報表示切替え操作が行われたか否かを判定する（ステップＳ２０３）。
ステップＳ２０３において情報表示切替え操作が行われると、マイクロコンピュータ１２４は第２の軌跡表示画面の表示処理を行い、画面表示を変更する（ステップＳ２０４）。図１６〜図１９に、第２の軌跡表示画面の例を示す。第２の軌跡表示画面では、画面左上に地図表示、地図に重畳させたＧＰＳログ軌跡表示、画像ファイルの位置を対応付けたプロット表示が行われ、更に軌跡上のプロット表示に対応した画像ファイルのマルチ画像表示とそれに合わせた情報表示が行われる。図１６は描画対象メディアをメディア（１）とした場合の軌跡表示画面を示す。また、図１７は描画対象メディアをメディア（２）とした場合の軌跡表示画面を示す。また、図１８、図１９は描画対象メディアを全メディア（メディア（１）、（２））とした場合の軌跡表示画面を示す。このようにメディア毎に区別して、ＧＰＳログ軌跡が表示される。また、取得元のメディアが異なるＧＰＳログ軌跡は異なる態様、例えば軌跡の色、スタイル、太さ等を変えて表示される。
【００２２】
なお、ステップＳ２０３において情報表示切替え操作が行われなかった場合、マイクロコンピュータ１２４は、描画対象メディア変更操作が行われたか否かを判定する（ステップＳ２０８）。描画対象メディア変更操作が行われた場合、マイクロコンピュータ１２４は、描画対象メディアを変更し（ステップＳ２０９）、ステップＳ２０２に戻る。描画対象メディア変更操作が行われなかった場合、マイクロコンピュータ１２４は、軌跡表示終了操作が行われたか否かを判定する（ステップＳ２１０）。軌跡表示終了操作が行われた場合、速やか表示を消灯し、終了となる。軌跡表示終了操作が行われなかった場合、ステップＳ２０３に戻る。
【００２３】
次にマイクロコンピュータ１２４は、情報表示切替え操作が行われたか否かを判定する（ステップＳ２０５）。
ステップＳ２０５において情報表示切替え操作が行われると、マイクロコンピュータ１２４は第３の軌跡表示画面の表示処理を行い、画面表示を変更する（ステップＳ２０６）。図２０〜図２３に、第３の軌跡表示画面の例を示す。第３の軌跡表示画面では、画面左上に地図表示、地図に重畳させたＧＰＳログ軌跡表示、画像ファイルの位置を対応付けたプロット表示が行われ、更に画像ファイルの１枚表示とそれに合わせた情報表示が行われる。図２０は描画対象メディアをメディア（１）とした場合の軌跡表示画面を示す。また、図２１は描画対象メディアをメディア（２）とした場合の軌跡表示画面を示す。また、図２２、図２３は描画対象メディアを全メディア（メディア（１）、（２））とした場合の軌跡表示画面を示す。このようにメディア毎に区別して、ＧＰＳログ軌跡が表示される。また、取得元のメディアが異なるＧＰＳログ軌跡は異なる態様、例えば軌跡の色、スタイル、太さ等を変えて表示される。
【００２４】
なお、ステップＳ２０５において情報表示切替え操作が行われなかった場合、マイクロコンピュータ１２４は、描画対象メディア変更操作が行われたか否かを判定する（ステップＳ２１１）。描画対象メディア変更操作が行われた場合、マイクロコンピュータ１２４は、描画対象メディアを変更し（ステップＳ２１２）、ステップＳ２０４に戻る。描画対象メディア変更操作が行われなかった場合、マイクロコンピュータ１２４は、軌跡表示終了操作が行われたか否かを判定する（ステップＳ２１３）。軌跡表示終了操作が行われた場合、速やか表示を消灯し、終了となる。軌跡表示終了操作が行われなかった場合、ステップＳ２０５に戻る。
【００２５】
次にマイクロコンピュータ１２４は、情報表示切替え操作が行われたか否かを判定する（ステップＳ２０７）。
ステップＳ２０７において情報表示切替え操作が行われると、ステップＳ２０２に戻り、マイクロコンピュータ１２４は第１の軌跡表示画面の表示処理を行い、画面表示を変更する。
【００２６】
なお、ステップＳ２０７において情報表示切替え操作が行われなかった場合、マイクロコンピュータ１２４は、描画対象メディア変更操作が行われたか否かを判定する（ステップＳ２１４）。描画対象メディア変更操作が行われた場合、マイクロコンピュータ１２４は、描画対象メディアを変更し（ステップＳ２１５）、ステップＳ２０６に戻る。描画対象メディア変更操作が行われなかった場合、マイクロコンピュータ１２４は、軌跡表示終了操作が行われたか否かを判定する（ステップＳ２１６）。軌跡表示終了操作が行われた場合、速やか表示を消灯し、終了となる。軌跡表示終了操作が行われなかった場合、ステップＳ２０７に戻る。
【００２７】
図２４には、軌跡表示画面の遷移状態を示す。図２４の遷移図において縦移動が描画対象メディアの変更に対応しており、横移動が情報表示切替え操作に対応している。
【００２８】
次に、図２のフローチャートにおける第１〜第３の軌跡表示画面の描画時に共通して実行される処理について説明する。
＜地図描画＞
図３は、地図描画処理を示すフローチャートである。
まずマイクロコンピュータ１２４は、演算用に用いる最北・最南・最東・最西の最終結果として利用するデータを初期化しておく（ステップＳ３０１）。
次にマイクロコンピュータ１２４は、描画対象メディアを設定し（ステップＳ３０２）、該当のメディアにあるＧＰＳログファイルを読み出す（ステップＳ３０３）。
次にマイクロコンピュータ１２４は、読み出されたＧＰＳログファイルから最北・最南・最東・最西の測位結果を取得する（ステップＳ３０４）。
次にマイクロコンピュータ１２４は、得られた測位結果と最終結果データを比較して、得られた測位結果のうち北・南・東・西で最終結果データよりも越えているものがあれば、その値に置き換えデータを更新する（ステップＳ３０５）。
次にマイクロコンピュータ１２４は、全描画対象メディアについてこの処理を行ったか否かを判定する（ステップＳ３０６）。残りの描画対象メディアがあれば、描画対象メディアを変更し（ステップＳ３０７）、ステップＳ３０３に戻る。残りの描画対象メディアがなければ、マイクロコンピュータ１２４は、こうして得られた最終的データに基づいて地図描画範囲を決定する（ステップＳ３０８）。そして、マイクロコンピュータ１２４は、地図描画範囲に基づいて地図データを取得し（ステップＳ３０９）、地図の描画を行い（ステップＳ３１０）、本処理は終了となる。
【００２９】
＜ＧＰＳログ軌跡描画＞
図４は、ＧＰＳログ軌跡描画処理を示すフローチャートである。
まずマイクロコンピュータ１２４は、描画対象メディアを設定し（ステップＳ４０１）、該当のメディアにあるＧＰＳログファイルを読み出す（ステップＳ４０２）。
次にマイクロコンピュータ１２４は、ＧＰＳログ軌跡色判定を行い、描画対象メディアが変わっていなければ同じ色、変わっていれば前回とは違う色に変更する（ステップＳ４０３）。
次にマイクロコンピュータ１２４は、ＧＰＳログ軌跡のスタイル判定を行い、描画対象メディアが変わっていなければ同じスタイル、変わっていれば前回とは違うスタイルに変更する（ステップＳ４０４）。例えば図１５に示す第１の軌跡表示画面を表示する場合、メディア毎に違うスタイルで軌跡を描画する。これにより、ユーザは、表示されている軌跡がどのメディア内のＧＰＳログファイルに基づくものかを把握することができる。
次にマイクロコンピュータ１２４は、ＧＰＳログ軌跡の太さ判定を行い、描画対象メディアが変わっていなければ同じ太さ、変わっていれば前回とは違う太さに変更する（ステップＳ４０５）。
次にマイクロコンピュータ１２４は、ステップＳ４０３〜Ｓ４０５で設定されたＧＰＳログ軌跡の設定に基づいてＧＰＳログ描画を行う（ステップＳ４０６）。
次にマイクロコンピュータ１２４は、まだメディア内にＧＰＳログファイルがあるか否かを判定する（ステップＳ４０７）。ＧＰＳログファイルがあれば、ステップＳ４０２に戻る。ＧＰＳログファイルがなければ、次にマイクロコンピュータ１２４は全描画対象メディアについて処理したか否かを判定する（ステップＳ４０８）。残りの描画対象メディアがあれば、描画対象メディアを変更し（ステップＳ４０９）、ステップＳ４０２に戻る。残りの描画対象メディアがなければ、本処理は終了となる。
【００３０】
＜画像位置描画＞
図５は、描画されたＧＰＳログ軌跡上に画像ファイルの位置を対応付けてプロット描画する処理を示すフローチャートである。
まずマイクロコンピュータ１２４は、いわゆるカーソルが当たっている状態のように、現在選択中のメディア情報を取得し（ステップＳ５０１）、選択中のＧＰＳログファイル情報を取得する（ステップＳ５０２）。
次にマイクロコンピュータ１２４は、選択中の画像ファイル情報を取得する（ステップＳ５０３）、取得した選択中のＧＰＳログファイル情報に基づいてＧＰＳログファイルを取得する（ステップＳ５０４）。
次にマイクロコンピュータ１２４は、そのＧＰＳログファイルの記録時間内に撮影された画像ファイルをリストアップする（ステップＳ５０５）。
次にマイクロコンピュータ１２４は、そのリスト内の画像ファイルを取得し（ステップＳ５０６）、その画像ファイルのファイル情報からＧＰＳ測位結果を取得する（ステップＳ５０７）。
次にマイクロコンピュータ１２４は、ＧＰＳ測位結果に基づいてプロット表示を行う（ステップＳ５０８）。本実施形態では選択中の画像は表示サイズをそれ以外よりも大きめに表示しているが、画面状態や用途に合わせて変えても良い。
次にマイクロコンピュータ１２４は、リスト内の全画像ファイル分プロットを行ったか否かを判定する（ステップＳ５０９）。プロットが終わっていなければ、ステップＳ５０６に戻り、プロットが終わっていれば、本処理は終了となる。
【００３１】
＜再生画面描画＞
図６は、画像を表示する再生画面描画処理を示すフローチャートである。
まずマイクロコンピュータ１２４は、現在選択中のメディア情報を取得し（ステップＳ６０１）、ＧＰＳログファイル情報を取得し（ステップＳ６０２）、画像ファイル情報を取得する（ステップＳ６０３）。
次にマイクロコンピュータ１２４は、現在の画面での表示形態は１枚表示であるか否かを判定する（ステップＳ６０４）。
１枚表示である場合、マイクロコンピュータ１２４は、選択中のメディアから選択中の画像ファイルを取得し（ステップＳ６０５）、画像表示を行い（ステップＳ６０６）、本処理は終了となる。
マルチ表示である場合、マイクロコンピュータ１２４は、ＧＰＳログファイル記録時間内に撮影された画像を並べて一覧で表示するため、まず選択中のＧＰＳログファイル情報に基づいてＧＰＳログファイルを取得する（ステップＳ６０７）。次にマイクロコンピュータ１２４は、取得したＧＰＳログファイル記録時間内に撮影された画像ファイルをリストアップする（ステップＳ６０８）。次にマイクロコンピュータ１２４は、そのリスト内の画像ファイルを選択中のメディアから取得し（ステップＳ６０９）、画像描画を行う（ステップＳ６１０）。本実施形態では、選択中の画像は１番手前に描画するよう処理しているが、実際は強調表示であったり、拡大表示したりと、それ以外でも選択していることがユーザに分かるような表示形態であれば良い。次にマイクロコンピュータ１２４は、リスト内の全画像ファイル分の描画を行ったか否かを判定する（ステップＳ６１１）。禅画像ファイル分の描画が終わっていなければ、ステップＳ６１０に戻り、描画が終わっていれば、本処理は終了となる。
【００３２】
＜画像情報描画＞
図７は、画像ファイルやＧＰＳログファイルの情報を描画する情報描画処理を示すフローチャートである。
まずマイクロコンピュータ１２４は、現在選択中のメディア情報を取得し（ステップＳ７０１）、ＧＰＳログファイル情報を取得し（ステップＳ７０２）、画像ファイル情報を取得する（ステップＳ７０３）。
次にマイクロコンピュータ１２４は、再生画面表示処理は１枚表示であるか否かを判定する（ステップＳ７０４）。
１枚表示である場合、マイクロコンピュータ１２４は、１枚表示時用のレイアウトに合わせたＧＰＳログファイル情報描画を行う（ステップＳ７０５）。続いてマイクロコンピュータ１２４は、１枚表示時用のレイアウトに合わせた画像ファイル情報描画を行い（ステップＳ７０６）、本処理は終了となる。
マルチ表示である場合、マイクロコンピュータ１２４は、マルチ表示時用のレイアウトに合わせたＧＰＳログファイル情報描画を行う（ステップＳ７０７）。続いてマイクロコンピュータ１２４は、マルチ表示時用のレイアウトに合わせた画像ファイル情報描画を行い（ステップＳ７０８）、本処理は終了となる。
【００３３】
＜ファイル読み出し＞
図８は、指定のメディアからのファイル読み出し処理を示すフローチャートである。
まずマイクロコンピュータ１２４は、指定のメディア、すなわち読み出し元メディアにあるデータは既にＲＡＭに展開済であるか否かを判定する（ステップＳ８０１）。既にＲＡＭに展開済であれば、そこからデータを取得し（ステップＳ８０２）、本処理は終了となる。
ＲＡＭに展開済でない場合、マイクロコンピュータ１２４は、読み出し元メディアの種類を判定し、それに準ずる形でデータ読出しを行う。
まずマイクロコンピュータ１２４は、読み出し元メディアは装填中のメディアであるか否かを判定する（ステップＳ８０３）。装填中のメディアであれば、該当メディアからデータを読み出し（ステップＳ８０４）、データを取得し（ステップＳ８０２）、本処理は終了となる。
装填中のメディアでなかった場合、次にマイクロコンピュータ１２４は、読み出し元メディアは内蔵メモリであるか否かを判定する（ステップＳ８０５）。これはＦＲＯＭやシリアルフラッシュメモリ等のようなメモリを意味しており、そうであれば、該当内蔵メモリからデータを読み出し（ステップＳ８０６）、データを取得し（ステップＳ８０２）、本処理は終了となる。
内蔵メモリでなかった場合、次にマイクロコンピュータ１２４は、読み出し元メディアは通信先であるか否かを判定する（ステップＳ８０７）。通信先であれば、通信先からデータを読み出し（ステップＳ８０８）、データを取得し（ステップＳ８０２）、本処理は終了となる。なお、ここでいう通信先とは、外部インタフェイス１２２により接続される外部装置である。
通信先でなかった場合、マイクロコンピュータ１２４は、取得先が無いということでエラー通知を行い（ステップＳ８０９）、本処理は終了となる。
【００３４】
次に、第１〜第３の軌跡表示画面の表示処理について説明する。
＜第１の軌跡表示画面＞
図９は、図２のステップＳ２０２における第１の軌跡表示画面の表示処理を示すフローチャートである。
図１３〜図１５に示すように、第１の軌跡表示画面では、全画面表示の地図表示、地図に重畳させたＧＰＳログ軌跡表示が行われる。第１の軌跡表示画面では、画像表示や情報表示、画像ファイルの位置を示すプロット表示は行われない。
マイクロコンピュータ１２４は、全画面の地図表示処理を行い（ステップＳ９０１）、次にＧＰＳログ表示処理を行い（ステップＳ９０２）、本処理は終了となる。
【００３５】
＜第２の軌跡表示画面＞
図１０は、図２のステップＳ２０４における第２の軌跡表示画面の表示処理を示すフローチャートである。
図１６〜図１９に示すように、第２の軌跡表示画面では、画面左上に地図表示、地図に重畳させたＧＰＳログ軌跡表示、画像ファイルの位置を対応付けたプロット表示が行われ、更に画像ファイルのマルチ画像表示とそれに合わせた情報表示が行われる。
マイクロコンピュータ１２４は、画面左上の領域への地図表示処理を行い（ステップＳ１００１）、次にＧＰＳログ表示処理を行う（ステップＳ１００２）。続いてマイクロコンピュータ１２４は、プロット表示処理を行い（ステップＳ１００３）、マルチ画像表示をする再生画面表示処理を行い（ステップＳ１００４）、マルチ表示時のレイアウトに対応した情報表示処理を行い（ステップＳ１００５）、本処理は終了となる。
【００３６】
＜第３の軌跡表示画面＞
図１１は、図２のステップＳ２０６における第３の軌跡表示画面の表示処理を示すフローチャートである。
図２０〜図２３に示すように、第３の軌跡表示画面では、画面左上に地図表示、地図に重畳させたＧＰＳログ軌跡表示、画像ファイルの位置を対応付けたプロット表示が行われ、更に画像ファイルの１枚表示とそれに合わせた情報表示が行われる。
マイクロコンピュータ１２４は、画面左上の領域への地図表示処理を行い（ステップＳ１１０１）、次にＧＰＳログ表示処理を行う（ステップＳ１１０２）。続いてマイクロコンピュータ１２４は、プロット表示処理を行い（ステップＳ１００３）、１枚表示のための再生画面表示処理を行い（ステップＳ１１０４）、１枚表示時のレイアウトに対応した情報表示処理を行い（ステップＳ１１０５）、本処理は終了となる。
【００３７】
以上述べたように、複数のメディアがある場合にも、それぞれのメディア内に存在している画像ファイルやＧＰＳログファイルを関連付けて表示したり、複数メモリ分をまとめて表示したりすることできる。したがって、メディアが複数あることや、画像ファイル、ＧＰＳログファイルがどこに存在しているかをユーザが意識せずに再生表示することが可能となる。
【００３８】
上述した実施形態に加えて、操作部を介したユーザの選択に応じて、ＧＰＳログ軌跡をメディア毎に区別しない表示態様に切り替えられるようにしてもよい。
【００３９】
また、撮像モードで撮像されることにより生成される画像データの記録の仕方（いわゆる記録モード）に応じて、ＧＰＳログ軌跡をメディア毎に区別しない表示態様に切り替えられるようにしてもよい。画像データとＧＰＳログファイルとは、できるだけ同じメディアに記録されることが管理上好ましいと考えられ、例えばＧＰＳログファイルの記録されるメディアが、画像データの記録モードに応じて切り替わるような仕様も考えられるからである。記録モードとしては、複数のメディアを一つの記録領域として取り扱う自動切り替えモードが考えられる。このモードは、先に記録するよう指定したメディアの容量がいっぱいになったら、他方のメモリに自動的に切り替えて記録するモードである。このようなメディアの取り扱い方の場合、ＧＰＳログファイルも同様に他方のメディアに切り替えて記録されることになる。すなわち、ＧＰＳログファイルは、各メディアにまたがったデータとなることが予想される。従って、このようなモードに設定されている場合は、ＧＰＳログファイルをメディア毎に区別せずに表示することが好ましいと考えられる。一方、記録モードとして、複数のメディアを個々に取り扱う、単一記録モードが考えられる。このモードは、指定したメディアのみに画像やＧＰＳログファイルを記録するモードである。このようなメディアの取り扱い方においては、複数のメディアに記録される画像データ及びＧＰＳログファイルは個別に管理することを目的としている場合が多いと考えられる。そのため、この場合はＧＰＳログファイルをメディア毎に区別して表示することが好ましいと考えられる。これらの記録モードは、例えばメニュー操作等によってユーザが予め設定しておくものであるから、ユーザがどのようにメディアを取り扱いたいかは、この設定を参照することで把握することができる。そこで、記録モードの設定に応じて、メディア毎にＧＰＳログファイルの表示を異ならせるか否かを切り替える。これにより、よりユーザの手間を必要とすることなく、適切な態様でＧＰＳログファイルを表示させることができる。なお、現在の記録モードの設定を参照する代わりに、どの記録モードのときに記録されたのかを示す情報をＧＰＳログファイルに対応付けておくようにし、それを参照してもよい。
また、ＧＰＳログファイルの表示態様をメディア毎に切り替えるか否かを、記録モードに従うモードと、ユーザが任意に選択できるモードとを、ユーザの指示に応じて切り替えられるようにしてもよい。
【００４０】
以上、本発明の好ましい実施形態について説明したが、本発明はこれらの実施形態に限定されず、その要旨の範囲内で種々の変形及び変更が可能である。また、各実施の形態は適宜組み合わされることも可能である。
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
１００：デジタルカメラ、１１２：撮像素子、１１９：メモリコントローラ、１２０、１２１：メモリ、１２４：マイクロコンピュータ、１２５：操作部材、１３１：不揮発性メモリ、１３２：ＧＰＳ受信部
【図１】
2015126272.tif 000003
【図２】
2015126272.tif 000004
【図３】
2015126272.tif 000005
【図４】
2015126272.tif 000006
【図５】
2015126272.tif 000007
【図６】
2015126272.tif 000008
【図７】
2015126272.tif 000009
【図８】
2015126272.tif 000010
【図９】
2015126272.tif 000011
【図１０】
2015126272.tif 000012
【図１１】
2015126272.tif 000013
【図１２】
2015126272.tif 000014
【図１３】
2015126272.tif 000015
【図１４】
2015126272.tif 000016
【図１５】
2015126272.tif 000017
【図１６】
2015126272.tif 000018
【図１７】
2015126272.tif 000019
【図１８】
2015126272.tif 000020
【図１９】
2015126272.tif 000021
【図２０】
2015126272.tif 000022
【図２１】
2015126272.tif 000023
【図２２】
2015126272.tif 000024
【図２３】
2015126272.tif 000025
【図２４】
2015126272.tif 000026